(57)【要約】【課題】  本発明は、照明の光を効率よく活用することができると共に、簡単に角度を変更することができる照明器具を提供することを目的とする。【解決手段】  本実施例の照明器具１は、ネオン管５とそのネオン管５に電力を供給するトランス７とを一体に構成したネオン管用照明器具２を筐体２０に内蔵し、壁面に設置して使用する照明器具１であって、筐体２０の底面には、角度が変更可能なアングル１０が設けられているため、照明器具１の筐体２０の角度を変えて設置できるので、所望する方向に照明を照らすことができる。【選択図】 図１
2008305593.tif 000002
【特許請求の範囲】
【請求項１】
ネオン管と当該ネオン管に電力を供給するトランスとを一体に構成したユニットを内蔵し、壁面に設置して使用する照明器具であって、
前記ユニットは、板状の反射板の表面に、前記ネオン管と、当該ネオン管を把持する把持具と、その裏面には、前記トランスとを設け、
前記反射板には、前記ネオン管側に向かって折り曲げられ、当該ネオン管の光を集光して反射する反射片が長手方向に沿って設けられ、
前記ユニットを内蔵した筐体には、壁面から当該筐体本体を一定の距離を離間させるとともに、壁面に対して上下方向に角度が変更可能なアングルを備えたこと特徴とする照明器具。
【発明の詳細な説明】
【技術分野】
【０００１】
本発明は、ネオン管とネオン管に電力を供給するトランスとを一体に構成し壁面等に掛けて使用する照明器具に関するものである。
【背景技術】
【０００２】
従来から、ネオン管とネオン管に電力を供給するトランスとを一体に構成し壁面等に掛けて使用する照明器具が様々に考えられてきた。
例えば、特許文献１には、ケース本体の表側からの見栄えを向上させることができるネオン管組込ユニットを提供することを目的として、壁面に上下２段に重ねて設置しても、
ケース本体から導出した電線を段部側面と段部裏面とがなす空間に配置することができるため、導出した電線の大部分をケース本体の表側から見えないように配置することが可能となる構造が開示されている。
特許文献２には、照明器具が筐体の側端に延びた片に設けられた穴を通してビスで壁面に固定して設置される構造が開示されている。
【０００３】
【特許文献１】特開２００６−０６６２１３号公報（図３及び図７）
【特許文献２】特開２００７−０８７９２０号公報（図２）
【発明の開示】
【発明が解決しようとする課題】
【０００４】
近年、室内だけでなく室外でも直接光を照らすのではなく、間接的に照明を照らして演出するように照明も装飾照明としての使用が多くなされるようになってきた。その場合には、間接照明として照らす方法は様々に、照らす向きや角度など事細かく指定されることがある。また、照らす方向が定まっているためできる限り集光した上で効率よく光を与えることが要望されてきている。
【０００５】
そのため、これら従来の構造では、壁面へ照明器具が直接固定されているために、方向を変えて照らすことができず、また、後から照射する方向を変えようとすれば、角度を変更するためのスペーサ等を角度に合わせて作成する作業が繁雑となるという問題もあった。
また、従来の照明器具は周り全体を照らす構造となっているため、一定の方向に向けて光を効率よく集光する構造とはなっておらず、光を効率よく活用することができなかった。
【０００６】
そこで、本発明は、照明の光を効率よく活用することができると共に、簡単に角度を変更することができる照明器具を提供することを目的とする。
【課題を解決するための手段】
【０００７】
請求項１記載の照明器具（１）は、ネオン管（５）と当該ネオン管（５）に電力を供給するトランス（７）とを一体に構成したユニット（２）を内蔵し、壁面に設置して使用する照明器具（１）であって、前記ユニット（２）は、板状の反射板（４）の表面に、前記ネオン管（５）と、前記ネオン管（５）を把持する把持具（４０）と、その裏面には、前記トランス（７）とを設け、前記反射板（４）には、前記ネオン管（５）側に向かって折り曲げられ、ネオン管（５）の光を集光して反射する反射片（６）が長手方向に沿って設けられ、前記ユニット（２）を内蔵した筐体（２０）には、壁面（４）から筐体（２０）本体を一定の距離を離間させるとともに、壁面（４）に対して上下方向に角度が変更可能なアングル（１０）を備えたこと特徴とする。
【０００８】
以上の構成により、照明器具の筐体が角度を変えて設置できるので、所望する方向に照明を照らすことができる。また、折り曲げられた反射片により光を集光して一定方向に反射させることができるので光を効率よく照らすことができる。
【発明を実施するための最良の形態】
【０００９】
以下に、本発明を実施するための最良の形態を図１又は図２に基づいて説明する。
図１は、照明器具１を壁面４に装着し下方を照らしている状態を表した図であり、図２は、照明器具１全体の意匠を表した６方向（正面・背面・右側面・左側面・底面・平面）から見た６面を表す図である。
照明器具１は、一面を開口した箱状の筐体２０と、その開口を塞ぐように筐体２内部に設けられたネオン管５の光を透過させることができるような透過カバー３０と、筐体２の裏面に設けられ、固定される壁面４と一定の距離を保ち角度が変更可能なアングル１０とから構成されている。
【００１０】
アングル１０は、Ｌ字状に折り曲げられ壁面に固定するための２つの穴が設けられた金属片と、その金属片とボルトを介して固定され、ボルトを緩めて角度が変更可能なように角度調整片１１とで構成されている。角度調整片１１は、筐体２０に図示しないボルトやネジ等で固定されている。
筐体２０の裏面には、壁に直に取付ることもできるように壁面固定孔２３と、トランス７からの配線を通す配線孔２４とが設けられている。また、透過カバ３０ーは、透明又は乳白色の樹脂で構成されている。
【００１１】
次に、照明器具１に内蔵されているネオン管器具２を図３又は図４に基づいて説明する。
図３（Ａ）は、照明器具１に内蔵されているネオン管器具２の斜視図であり、図３（Ｂ）は、照明器具１に内蔵されているネオン管器具２のネオン管５を１本取り除いた斜視図であり、図４は、照明器具１全体の意匠を表した５方向（正面（背面は正面と対象となるので省略）・右側面・左側面・底面・平面）から見た５面を表す図である。
【００１２】
ユニットとしてのネオン管器具２は、反射板４の表面には、把持具４０と、把持具４０によって把持されたネオン管５とが設けられ、裏面には外部からの電力を変換して供給するトランス７が設けられている。また、ネオン管５の両端に近接する位置には、ネオン管５とトランス７への配線を纏める配線止め８が設けられ、配線止め８の側方にはネオン管器具固定孔９が設けられている。そして、ネオン管器具固定孔９へ筐体２０外部の側面２１からネジが締められ、ネオン管器具２が筐体２０に固定される。
また、反射板４は、全体が光を反射させることができるように鏡面加工が施されている。また、側端を長手方向に沿ってネオン管５に向い折り曲げられた反射片６が設けられており、反射片４によって筐体２０の中心方向に向かって光を反射させることができ、より効率よく光を集光させることができる。
【００１３】
次に、ネオン管５を把持する把持具４０を図５又は図６に基づいて説明する。
図５（Ａ）は、ネオン管５を把持する把持具４０を斜め上方から見た斜視図であり、図５（Ｂ）は、ネオン管５を把持する把持具４０を斜め下方から見た斜視図であり、図６は、把持具４０全体の意匠を表した５方向（正面（背面は正面と対象となるので省略）・右側面・左側面・底面・平面）から見た５面を表す図である。
把持具４０は、２本のネオン管５を把持できるように、相対する方向に開口した把持爪４１が設けられている。また、その底部には、把持土台４２が設けられ、反射板４に裏面から固定部４３にある穴にネジ止めされている。また、１点で止めることができるように、回り止め防止用の突起が設けられ反射板４に嵌合されている。
【００１４】
他の実施の形態として、照明器具１に内蔵されているネオン管器具２を図７に示す。
本実施例は、従前の実施例とは同じ箇所の説明は省略し、異なる箇所だけ説明する。反射板４の長手方向に沿うように大きめの調光機能を有したトランス５７が設けられている。
【００１５】
以上における本実施例から把握される効果を以下に詳述する。
（１）本実施例の照明器具１は、筐体２０には角度が変更可能なアングル１０が設けられているため、照明器具１の筐体２０が角度を変えて設置できるので、所望する方向に照明を照らすことができる。
【００１６】
（２）本実施例の照明器具１は、反射板４に設けられた反射片６が、ネオン管５に向かって反射板４の長手方向に沿って折り曲げられているので、光を集光して効率よく一定方向にネオン管５の光を反射させることができる。
【００１７】
（３）本実施例の照明器具１は、アングル１０が壁面から一定距離離間して筐体２０を固定しているため、配線の設置工事がし易くなると共に、壁面に熱が伝わったり、照明器具１内に熱が籠もりやすくなることもない。また、角度調整もし易くなった。
【００１８】
（４）本実施例の照明器具１は、アングル１０が壁面への固定箇所を含め筐体２０の長手寸法内に納められているため、隙間無く横方向に連結して設置することができるようになった。そのため見栄えが良く設置することができるようになった。
【００１９】
（５）本実施例の照明器具１は、壁面固定孔２３により筐体２０単体で壁面に直接固定が可能であり、アングル１０を筐体２０にネジで固定するだけで、角度変更可能な装置へと変えることも可能であり、１タイプで壁直付けと角度変更可能な装置との両方の機能を備えることができる。
【００２０】
（他の実施形態への変更例）
以上説明した実施形態を他の実施形態へ変更した例を以下に示す。
・配線孔２４は、筐体２０の底面に設けたが筐体２０の側面であっても良い。
【図面の簡単な説明】
【００２１】
【図１】照明器具１を壁面４に装着し下方を照らしている状態を表した図。
【図２】照明器具全体の意匠を表した６方向から見た６面を表す図。
【図３】（Ａ）照明器具１に内蔵されているネオン管器具２の斜視図、（Ｂ）照明器具１に内蔵されているネオン管器具２のネオン管５を１本取り除いた斜視図。
【図４】照明器具１全体の意匠を表した５方向から見た５面を表す図。
【図５】（Ａ）ネオン管５を把持する把持具４０を斜め上方から見た斜視図。（Ｂ）ネオン管５を把持する把持具４０を斜め下方から見た斜視図。
【図６】照明器具用の把持具４０全体の意匠を表した５方向から見た５面を表す図。
【図７】照明器具１に内蔵されている他の実施例のネオン管器具２の斜視図。
【符号の説明】
【００２２】
１・・・照明器具、２・・・ネオン管器具、４・・・反射板、５・・・ネオン管、
６・・・反射片、７・・・トランス、８・・・配線止め、９・・・ネオン管器具固定孔、
１０・・・固定アングル、１１・・・角度調整片、
２０・・・筐体、２１・・・側面、２２・・・ネオン管器具固定ビス、
２３・・・壁面固定孔、２４・・・配線孔、
３０・・・透過カバー、
４０・・・把持具、４１・・・把持爪、４２・・・把持土台、４３・・・固定部、
５７・・・調光機能付きトランス。
【図１】
2008305593.tif 000003
【図２】
2008305593.tif 000004
【図３】
2008305593.tif 000005
【図４】
2008305593.tif 000006
【図５】
2008305593.tif 000007
【図６】
2008305593.tif 000008
【図７】
2008305593.tif 000009